(57)【要約】【課題】飲料容器の、結露により流下した水滴を吸収し、安定して置くことが出来るカップホルダーを提供する。【解決手段】下端外マチ部３があるカップホルダー１００（図１５参照）及び、下端内マチ部１４があるカップホルダー１０１（図１６参照）は、飲料容器を収容し、上下方向に延びる筒状体であり、飲料容器の側壁を支持するスリーブ１と、スリーブ１の下端に配置され、飲料容器の表面に付着し、下方に流下した水分を吸収するマチ部とを備えるカップホルダー。【選択図】図７
2018177363.tif 000002
【特許請求の範囲】
【請求項１】
飲料容器を収容するカップホルダーであって、
上下方向に延びる筒状体であり、飲料容器の側壁を支持するスリーブと、
スリーブの下端に配置され、飲料容器の表面に付着し、下方に流下した水分を吸収するマチ部とを備えるカップホルダー。
【発明の詳細な説明】
【技術分野】
【０００１】  本発明は、カップスリーブが、下端底辺に配置されたマチ部と一体となったカップホルダーに関する。
【背景技術】
【０００２】  特許文献１には、片面段ボールに、段２１に略垂直な方向に、線状に段２１を押し潰すことにより罫線２６を設ける。
こうして罫線２６を設けた片面段ボールを帯状に切り出し、段面を外側にして目的とするカップ容器の形状に沿うように輪を形成して両端を固定するカップホルダが、開示されている。
【先行技術文献】
【特許文献】
【０００３】
【特許文献１】特開２００４−１６８３４５号公報
【発明の概要】
【発明が解決しようとする課題】
【０００４】  しかしながら、特許文献１のカップホルダを使用した場合、冷飲料容器にて飲料を飲む時、冷飲料容器の外壁スリーブ、接置している机上などの他製品に、結露による下流水滴が付着する。また、接触した他製品（書籍、書類、ＯＡ機器など）なども水滴で濡れるリスクがある。口にストローを運びながら飲料を飲もうとする時、容器を持ち上げるため、流下した水滴が垂れる。水滴が付着した飲料容器の表面に触れることで、手が濡れてしまう。ティッシュ、などを使用し給水しているが、美的ではない。など、不快な状況をよく見かける。【０００５】  本発明は、飲料容器の、結露により流下した水滴を吸収し、安定して置くことができるカップホルダーを提供する。
【課題を解決するための手段】
【０００６】  飲料容器を収容するカップホルダーであって、
上下方向に延びる筒状体であり、飲料容器の側壁を支持するスリーブと、
スリーブの下端に配置され、飲料容器の表面に付着し、下方に流下した水分を吸収するマチ部とを備えるカップホルダー。
【発明の効果】
【０００７】  本発明は、飲料容器の、結露により流下した水滴を吸収し、安定して置くことが出来、保温、保冷機能もあるカップホルダーを提供する。
【図面の簡単な説明】
【０００８】
【図１】  飲料容器側壁スリーブの展開図
【図２】  下端底辺マチ部の説明図
【図３】  下端底辺マチの部の斜視図
【図４】  図１と図２の接合展開図
【図５】  組立説明図
【図６】  接続していない切り抜きの、差し込み口の説明図
【図７】  接続していない切り抜きの組立説明図
【図８】  折り畳み時の外観図。段階１
【図９】  折り込み時の外観図。段階２
【図１０】  飲料容器側壁スリーブと下端内側マチ部が一体となった展開図
【図１１】  カップホルダーの組立説明図
【図１２】  カップホルダーの底面図
【図１３】  折り畳み時の外観図
【図１４】  折り畳み時の斜視図
【図１５】  外マチ部付きカップホルダーの使用時外観図
【図１６】  内マチ部付きカップホルダーの使用時外観図
【発明を実施するための形態】
【０００９】  下端外マチ部３があるカップホルダー１００（図１５参照）及び、下端内マチ部１４があるカップホルダー１０１（図１６参照）は、飲料容器を収容し、上下方向に延びる筒状体であり、飲料容器側壁を支持するスリーブ１と、スリーブ１の下端に配置され、飲料容器の表面に付着し下方に流下した水分を吸収するマチ部とを備えるカップホルダー。
【００１０】  以下、本発明の実施の形態を図１〜図９、図１０〜１６に基づいて説明する。
【００１１】  図１〜図９は、転倒防止、水滴吸収機能が備わった、下端外側に水平にマチ部がある安定した形状の説明図である。折り畳み、折り込みできる機能も備える。
【００１２】  図１は、スリーブ１と、少なくとも一端の接続面２とで構成された展開図である。どちらも下端と接続する長さ、飲料容器の形状に添った形状、大きさで構成される。
【００１３】  図２は、底辺マチ部のある３と、中心から対比の少なくとも２か所に、幅のある接続部分４、５を切り抜き、４，５を立ち上げた図である。
【００１４】  接続部分４，５の立ち上げの起点６と、縁７までの幅で、マチ部の径８が変更可能である。径の大きさで、安定度合が変わる。
【００１５】  図３は図２の斜視図である。４，５が、立ち上がっている。
【００１６】  図４は、図１のスリーブに図２のマチ部の切り抜き４を接続した展開図である。
【００１７】  図５は、図１のスリーブを円形に丸め、接続面２で接続し、４を接続した図である。
【００１８】  図６は、切り抜き４の接続した対比の位置に、もう一方の切り抜き５を内側壁から外側壁に差し出すための差し込み口９を、スリーブ側壁に開けた図である。
【００１９】  図７は、切り抜き４に対比する切り抜き５はスリーブに接続せず、内側壁から差し込み口９に入れ外側壁に出し、折った組立図である。飲料容器を入れた時点で、容器に圧迫され、外れることなく安定する。
【００２０】  ２段階で折り畳みする。図８と図９で説明する。
【００２１】  図８は、折り畳み時の一段階目の展開図である。スリーブは、少なくとも２カ所１０で折り畳み、平面になる。
【００２２】  図９は、折り畳み時の２段階目の外観図である。
下端外側のマチ部は、平面に畳んだスリーブ１０に沿うように側壁に折り畳み１１、接続していない５の切り抜きを収納するため、スリーブの外壁側面に収納位置を考慮した差し込み口１２を開ける。折りたたんだ時に下端底辺のマチ部がぐらつかないよう、接続していない５の切り抜きを差し込み口１２の内側壁に入れ込む。
この実施の形態は、差し込み口が少なくとも２か所あるが、５の切り抜きを安定して収納、接続できれば、どのような形態で製作してもよい。
【００２３】  図１０〜図１４は、カップホルダー受けに入り、水滴吸収機能が備わった、下端内側にマチ部がある形状の説明図である。折り畳みできる。
【００２４】  図１０は、逆円錐形のスリーブ１３と、下端マチ部１４が一体となり、少なくとも一端の接続面１５とで構成される。どちらも下端と接続する長さ、飲料容器の形状に沿った形状、大きさであること。マチ部１４は、１３のスリーブ下端に配置されている。
【００２５】  図１１は、スリーブ１３を円形に丸め接続面１５で接続し、下端マチ部１４は、下端内側の中心に向かって放射状に折り畳み、スリーブ１３と内側マチ部１４の全体で結露の下流水滴を吸収する。
【００２６】  図１２は、カップホルダーの底面図である。
下端内側マチ部のひだ状の折り込み１４は、重なり合い内側に放射状に折り込める。
【００２７】  図１３は、スリーブ外壁側面は、少なくとも２カ所１６で折り畳み、ひだ状下端マチ部１４の折り込みは、スリーブの下方へ出し、全体を平面状に折り畳んだ外観図である。
【００２８】  図１４は、折り畳んだ全体の、斜視図である。
【００２９】  図１５は、下端の外側にマチ部のあるカップホルダーの使用時の外観図である。
【００３０】  図１６は、下端の内側にマチ部のあるカップホルダーの使用時の外観図である。
【００３１】  本発明者は、様々な販売店での冷飲料の提供が普及し、テイクアウトなどが増え、様々な場所、場面での就労、学習、娯楽などで、冷飲料を飲む機会が増えた今日、結露による水滴対策、転倒防止対策を念頭に置き、フィット感、安定感、ホールド力の高い下端にマチ部を備えたカップホルダーが必要であると考えた。
【００３２】  様々な販売店などで提供される使い捨ての冷飲料容器は、一般的にプラスチックなどで製作され、一層である。放置すると、中の飲料の氷が解け、水滴が外側壁、下端に付く。その対策として、外壁、下端の両方を覆うことが必要である。
【００３３】  本発明のカップホルダーは、外側壁スリーブと、下端の外側、内側に水平にマチ部があり、スリーブと一体となった単純構造の組み立て式である。安価で製作でき、また、少なくとも２か所で折り畳み出来て平面状になり、かさ張らず軽量なので、移送、収納、保管の面でも負担にならない。
【００３４】  飲料容器を、様々な不安定な場所、場面で置くとき、容器を倒さないよう、転倒防止機能も考慮の対象とし、安定し、安心して快適に飲料を飲めるよう開発した。
【００３５】  様々な素材のすべり止めを、本発明のカップホルダーのマチ部底面に、様々な方法で貼付し、転倒防止機能を高めることもできる。
【００３６】  本発明のカップホルダーを製作する過程で、使用する紙製品や繊維製品を節約するために、接続するパーツ部分を同一パーツより切り抜き出して構成することで、資材のコストダウンも考慮に入れた。
【００３７】  また、外側壁スリーブと下端マチ部が、飲料容器を広範囲で包んでおり、飲料容器と、カップホルダーの２層となることで、保温、保冷機能も高い。
【００３８】  本発明のカップホルダーは、２種類の形状が含まれる。
【００３９】  内側マチ部付きカップホルダーは、車両内・建物の館内などに設置してあるカップホルダー受けに差し込める形状である。結露の下流水滴吸収目的で、折り畳みできる。また、この形状のカップホルダーは、底面が開口しており、上縁、下端の径の大きさが同じ、筒形の飲料容器の側壁を支えることが出来ないため、逆円錐形の飲料容器にのみ対応した形状となる。
【００４０】  外側マチ部付きカップホルダーは、机上や、野外の地面などの平面使用時に、転倒しにくい安定した形状である。結露の下流水滴吸収機能と、転倒防止機能を兼ね備え折り畳み出来る。底面があるので、様々な形状でもささえることが可能である。
【００４１】  缶、ビン、プラスチックなど、飲料容器の側壁は、逆円錐形、筒形などの様々な形状なので、本発明のカップホルダーのスリーブも、それに対応する形状で構成する。
また、外側マチ部の形状は、安定できれば、円形、正方形など、様々な形状で製作することが可能である。
【００４２】  プラスチックなどの中身が見える飲料容器スリーブの上下方向の長さは、中身の種類が販売者、購入者ともに目視で認識できるよう、容器の大きさ、高さにより調節する。
【００４３】  ２種類とも、スリーブ外壁面、マチ部に印刷や、他製品を貼付することが可能である。色、柄を変えて製作することで、様々な場面で、広告の役割、グラスマーカーなどの、目印の役割も兼ね備える。
【００４４】  結露による下流水滴を吸った本発明の紙製のカップホルダーは、衛生面を考慮すると、繰り返し使用できない場合がある。使い捨てとなった場合、紙のみで構成されており、付属品が付いていないのでそのまま廃却でき、リサイクルしやすい。
【００４５】  なお、布、糸など、繊維製品で本発明を製作した場合、何回も使用出来て、洗浄できるため、衛生面の観点からは、使い捨ての機能は該当しない。
【００４６】  素材は、紙製品など、繊維製品などで、どちらも下流水滴を吸収しやすい素材で製作する。飲料容器を支持するため、製品の強度を考慮にいれる。また、製品使用時に、下流水滴が染みて色落ちし、他製品を汚さないようにすることも考慮に入れる。
【符号の説明】
【００４７】１  スリーブ、２  スリーブの接着面、３  円形マチ部
４  スリーブと円形マチ部の接合部分、５  スリーブと円形マチ部の接合部分
６  接合部分の立ち上げ起点、７  円の縁、８  円形マチ部の径
９  差し込み口、１０  スリーブを折り畳んだ状態
１１  折りたたんだスリーブ１０と、円形マチ部が重なった状態
１２  接続部５の差し込み口、１３逆円錐形スリーブ、１４下端マチ部
１５  スリーブの接着面、１６  スリーブの折り畳み箇所
１００  下端外マチ部があるカップホルダー
１０１  下端内マチ部があるカップホルダー
【図１】
2018177363.tif 000003
【図２】
2018177363.tif 000004
【図３】
2018177363.tif 000005
【図４】
2018177363.tif 000006
【図５】
2018177363.tif 000007
【図６】
2018177363.tif 000008
【図７】
2018177363.tif 000009
【図８】
2018177363.tif 000010
【図９】
2018177363.tif 000011
【図１０】
2018177363.tif 000012
【図１１】
2018177363.tif 000013
【図１２】
2018177363.tif 000014
【図１３】
2018177363.tif 000015
【図１４】
2018177363.tif 000016
【図１５】
2018177363.tif 000017
【図１６】
2018177363.tif 000018